(57)【要約】【課題】映像処理経路に含まれるＧＤＣ、ＡＳＩＣの数量の増加を抑制し、各ディスプレイに表示出力する映像データの同期を確保する技術を提供する。【解決手段】映像表示処理装置は、複数のディスプレイにそれぞれ出力される複数の映像の画像フレームを生成する手段と、複数の映像の画像フレームをそれぞれ所定の圧縮率で圧縮する圧縮手段と、圧縮されたそれぞれの画像フレームを合成画像フレームとして第２の処理手段に出力する手段と、を有する第１の処理手段と、合成画像フレームから圧縮されたそれぞれの画像フレームを取得する手段と、圧縮されたそれぞれの画像フレームを圧縮率による圧縮前の複数の画像フレームに伸張する手段と、圧縮前の複数の画像フレームをそれぞれ対応するディスプレイに出力する手段と、を有する第２の処理手段と、を備える。【選択図】  図２
2013205738.tif 000002
【特許請求の範囲】
【請求項１】
映像の画像フレームを形成する第１の処理手段と、前記形成された画像フレームを複数のディスプレイに出力する第２の処理手段と、を備え、
前記第１の処理手段は、
前記複数のディスプレイにそれぞれ出力される複数の映像の画像フレームを生成する手段と、
前記複数の映像の画像フレームをそれぞれ所定の圧縮率で圧縮する圧縮手段と、
前記圧縮されたそれぞれの画像フレームを合成画像フレームとして前記第２の処理手段に出力する手段と、を有し、
前記第２の処理手段は、
前記合成画像フレームから前記圧縮されたそれぞれの画像フレームを取得する手段と、
前記圧縮されたそれぞれの画像フレームを前記圧縮率による圧縮前の複数の画像フレームに伸張する手段と、
前記圧縮前の複数の画像フレームをそれぞれ対応するディスプレイに出力する手段と、
を有する映像表示処理装置。
【請求項２】
前記圧縮手段は、前記生成されたそれぞれの画像フレームの画素数を画素の並ぶ横方向に圧縮するとともに、
前記圧縮されたそれぞれの画像フレームを画素の並ぶ横方向に並列させて合成画像フレームを生成する、請求項１に記載の映像表示処理装置。
【請求項３】
前記圧縮手段は、前記生成されたそれぞれの画像フレームの画素数を画素の並ぶ縦方向に圧縮するとともに、
前記圧縮されたそれぞれの画像フレームを画素の並ぶ縦方向に並列させて合成画像フレームを生成する、請求項１に記載の映像表示処理装置。
【請求項４】
前記圧縮手段は、前記生成されたそれぞれの画像フレームの情報量に応じて圧縮率を設定する、請求項２または３に記載の映像表示処理装置。
【請求項５】
前記画像フレームは、各画素に単色または複数の色要素の階調を有し、
前記第1の処理手段は、
前記生成されたそれぞれの画像フレームの階調のビット数を圧縮する圧縮手段と、
前記圧縮されたそれぞれの画像フレームの階調のビット数を結合し合成画像フレームとして前記第２の処理手段に出力する手段と、を有し、
前記第２の処理手段は、
前記圧縮されたそれぞれの画像フレームの階調のビット数を圧縮前のビット数に伸張する手段と、
を備える請求項１に記載の映像表示処理装置。
【請求項６】
前記圧縮手段は、前記生成されたそれぞれの画像フレームのデータ量に応じて該画像フレームの階調のビット数を圧縮する、請求項５に記載の映像表示処理装置。
【請求項７】
前記圧縮手段は、前記生成されたそれぞれの画像フレームの複数の色要素ごとのビット数をそれぞれに圧縮する、請求項５に記載の映像表示処理装置。
【請求項８】
前記第２の処理手段は、前記複数のディスプレイごとに対応付けられた、複数の色要素ごとのビット数を拡張する変換テーブルをさらに備え、
前記圧縮されたそれぞれの画像フレームの階調のビット数を前記変換テーブルに基づき圧縮前のビット数に伸張する、請求項５に記載の映像表示処理装置。
【請求項９】
前記変換テーブルは、前記複数の色要素ごとに、拡張後のビット数を可変する値が対応付けられている、請求項８に記載の映像表示処理装置。
【請求項１０】
前記第１の処理手段は、前記それぞれの画像フレームの圧縮率を前記第２の処理手段に通知する手段を備え、
前記第２の処理手段は、前記通知された圧縮率に基づいて、前記圧縮されたそれぞれの画像フレームを前記圧縮率による圧縮前の複数の画像フレームに伸張する、請求項１から９の何れか一項に記載の映像表示処理装置。
【請求項１１】
映像の画像フレームを形成する第１の処理手段と、前記形成された画像フレームを複数のディスプレイに出力する第２の処理手段と、を備えたコンピュータが、
前記第１の処理手段に、
前記複数のディスプレイにそれぞれ出力される複数の映像の画像フレームを生成するステップと、
前記複数の映像の画像フレームをそれぞれ所定の圧縮率で圧縮するステップと、
前記圧縮されたそれぞれの画像フレームを合成画像フレームとして前記第２の処理手段に出力するステップと、を実行させると共に、
前記第２の処理手段に、
前記合成画像フレームから前記圧縮されたそれぞれの画像フレームを取得するステップと、
前記圧縮されたそれぞれの画像フレームを前記圧縮率による圧縮前の複数の画像フレームに伸張するステップと、
前記圧縮前の複数の画像フレームをそれぞれ対応するディスプレイに出力するステップと、
を実行させる映像表示処理方法。
【発明の詳細な説明】
【技術分野】
【０００１】
本発明は、車両に搭載されるディスプレイへの映像表示方法の技術に関する。
【背景技術】
【０００２】
近年、車両に搭載されるディスプレイの数量は、提供されるコンテンツ（例えば、ナビゲーション、テレビジョン（ＴＶ）放送、ＤＶＤ（Digital Versatile Disk）やＢＤ（Blu-ray Disc）等の再生画像、カメラ撮影画像、車両状態を示す描画画像、Bluetooth（登
録商標）を用いて携帯電話と連携して表示される携帯電話の画面、ゲーム等）の多様化に伴い増加する傾向にある。
【０００３】
従来、提供されたコンテンツは、例えば、図１に示すように、ディスプレイごとに設けられた映像処理経路９０を介して各ディスプレイ上に表示されていた。図１の映像表示処理の形態は、７インチのメインディスプレイ９３に、６４０×４８０画素の画面解像度で表示画像を表示出力する映像処理経路９０と、４．３インチのサブディスプレイ９４に６４０×３５０画素の画面解像度で表示画像を表示出力する映像処理経路９０との、２系統の映像処理経路を備える。
【０００４】
例えば、ナビゲーションから供給された映像情報は、ＧＤＣ（Graphics Display Controller）９１、ＡＳＩＣ（Application Specific Integrated Circuit）９２といった映像表示処理の専用ＬＳＩ（Large Scale Integration）を含む、一方の映像処理経路９０を
介して映像表示処理が施される。映像表示処理が施された映像情報は、例えば、センターコンソールに設けられたメインディスプレイ９３に表示出力される。同様に、エアコン等の作動状態を示す描画画像等は、他方のＧＤＣ９１、ＡＳＩＣ９２を含む映像処理経路９０を介して映像表示処理が施され、例えば、メータフード内に設けられた４．３インチディスプレイ９４に表示出力される。
【０００５】
なお、本明細書で説明する技術に関連する技術が記載されている文献としては、以下の特許文献１乃至３が存在している。
【先行技術文献】
【特許文献】
【０００６】
【特許文献１】特開２０１１−０６６５７７号公報
【特許文献２】特開２０００−１８４３４８号公報
【特許文献３】特開２００１−２０８９８４号公報
【発明の概要】
【発明が解決しようとする課題】
【０００７】
図１に示すように、従来の映像表示処理の形態では、映像を表示するディスプレイの数だけＧＤＣ及びＡＳＩＣを含む映像処理経路を必要としていた。しかしながら、映像処理経路に含まれるＧＤＣは安価でないため、提供される映像コンテンツの増加に対応しようとすれば、システム全体としてのコストアップが課題となっていた。また、複数の映像処理経路を備える場合、ＧＤＣ及びＡＳＩＣといった専用ＩＣを搭載する基板サイズの増大化を招く虞がある。
【０００８】
さらに、ディスプレイごとに設けられた映像処理経路間において、複数のＧＤＣ間で同期を取りながら動作させる場合には、複数のＧＤＣ間で連動して調整できるタイミング回路を必要としていた。
【０００９】
開示の技術の課題は、複数のディスプレイに映像表示を行う場合でも映像処理経路に含まれるＧＤＣ、ＡＳＩＣの数量の増加を抑制し、各ディスプレイに表示出力する映像データの同期を確保する技術を提供することにある。
【課題を解決するための手段】
【００１０】
開示の技術の一側面は、次の映像表示処理装置の構成によって例示される。すなわち、映像表示処理装置は、映像の画像フレームを形成する第１の処理手段と、形成された画像フレームを複数のディスプレイに出力する第２の処理手段と、を備え、第１の処理手段は、複数のディスプレイにそれぞれ出力される複数の映像の画像フレームを生成する手段と、複数の映像の画像フレームをそれぞれ所定の圧縮率で圧縮する圧縮手段と、圧縮されたそれぞれの画像フレームを合成画像フレームとして第２の処理手段に出力する手段と、を有し、第２の処理手段は、合成画像フレームから圧縮されたそれぞれの画像フレームを取得する手段と、圧縮されたそれぞれの画像フレームを圧縮率による圧縮前の複数の画像フレームに伸張する手段と、圧縮前の複数の画像フレームをそれぞれ対応するディスプレイに出力する手段と、を有する。
【００１１】
このような構成によれば、映像の画像フレームを形成する第１の処理手段は、複数のディスプレイにそれぞれ出力される複数の映像の画像フレームを、所定の圧縮率で圧縮し、圧縮されたそれぞれの画像フレームを合成画像フレームとして第２の処理手段に出力する。形成された画像フレームを複数のディスプレイに出力する第２の処理手段は、合成画像フレームから圧縮されたそれぞれの画像フレームを取得し、圧縮されたそれぞれの画像フレームを圧縮率による圧縮前の複数の画像フレームに伸張し、圧縮前の複数の画像フレームをそれぞれ対応するディスプレイに出力することができる。この結果、複数のディスプレイに映像表示を行う場合でもＧＤＣ、ＡＳＩＣの数量を増加せずに映像処理経路が構成できる。表示画像の伸張は並列して行われるとともに、表示画像は各ディスプレイに同時に出力されるため、同期を確保できる。
【発明の効果】
【００１２】
本映像表示処理装置によれば、複数のディスプレイに映像表示を行う場合でも映像処理経路に含まれるＧＤＣ、ＡＳＩＣの数量の増加を抑制し、各ディスプレイに表示出力する映像データの同期を確保する技術を提供できる。
【図面の簡単な説明】
【００１３】
【図１】従来の映像処理経路の構成を説明する図である。
【図２】本実施形態の映像表示処理装置の概略構成図である。
【図３】運転席正面のインストルメントパネルに設けられた２つのサブディスプレイに映像データを表示出力する例を示す図である。
【図４ａ】本実施形態の映像表示処理装置の映像表示処理を例示するフローチャートである。
【図４ｂ】図４ａのＳ１の詳細な処理のフローチャートである。
【図５ａ】本実施形態の映像表示処理装置の映像表示処理を例示するタイミングチャートである。
【図５ｂ】本実施形態の映像表示処理装置の映像表示処理を例示するタイミングチャートである。
【図６】ＡＳＩＣの概略ブロック図の例示である。
【図７】実施例２の映像表示処理を説明する図である。
【図８】実施例２の映像表示処理を例示するタイミングチャートである。
【図９】本実施形態の映像表示処理装置を備えたＡＶＮ機を例示する図である。
【発明を実施するための形態】
【００１４】
以下、図面を参照して、一実施形態に係る映像表示処理装置について説明する。以下の実施形態の構成は例示であり、映像表示処理装置は実施形態の構成には限定されない。
【００１５】
以下、図２から図９の図面に基づいて、映像表示処理装置を説明する。
【００１６】
＜実施例１＞
〔装置構成〕
図２は、本実施形態の映像表示処理装置の概略構成図である。図２に例示の映像表示処理装置１０は、例えば、後述する車載用オーディオ・ビジュアル・ナビゲーション一体機（ＡＶＮ機）といった情報処理システムの一部を構成する。図２の映像表示処理装置１０には、例えば、ＡＶＮ機からナビゲーション、テレビジョン（ＴＶ）放送、ＤＶＤ（Digital Versatile Disk）やＢＤ（Blu-ray Disc）等の再生画像、カメラ撮影画像、車両状態を示す描画画像、Bluetoothを用いて携帯電話と連携して表示される携帯電話の画面、ゲ
ーム等といったＡＶＮ機が表示可能な、各種コンテンツが供給される。
【００１７】
映像表示処理装置１０は、上述した各種コンテンツごとに映像コンテンツが表示されるディスプレイに応じた描画処理を行い、例えば、８ビットの階調情報を有する、赤（Ｒ）、緑（Ｇ）、青（Ｂ）といった色要素の画素で構成された映像データを生成する。そして、映像表示処理装置１０は生成された映像データに対し、例えば、線形補正による色補正やガンマ補正といった色調補正等の表示処理を行う。表示処理後の映像データは、ディスプレイごとに、所定の画面解像度で該ディスプレイ上に表示される。
【００１８】
図２に例示する映像表示処理装置１０では、７インチサイズのメインディスプレイ１３に表示出力される映像コンテンツと４．３インチサイズのサブディスプレイ１４に表示出力される映像コンテンツの２系統のコンテンツが供給される。メインディスプレイ１３は、例えば、ステアリング側方の、センターコンソールといった運転席と助手席とを隔てる部分に配置され、サブディスプレイ１４は、例えば、運転席正面のインストルメントパネルに配置される。メインディスプレイ１３は、ＶＧＡ（Video Graphics Array）といった６４０×４８０画素の画面解像度を有し、サブディスプレイ１４は、ＥＧＡ（Enhanced Graphics Adapter）といった６４０×３５０画素の画面解像度を有する。
【００１９】
映像表示処理装置１０は、供給された２系統の映像コンテンツに対し、上述したディスプレイごとの描画処理および表示処理を並列して実行する。そして、映像表示処理装置１０は、処理された２系統の映像データを各ディスプレイに並列して出力する。その結果、映像表示処理装置１０は、例えば、ナビゲーション、テレビジョン（ＴＶ）放送、ＤＶＤ（Digital Versatile Disk）やＢＤ（Blu-ray Disc）等の再生画像といった映像コンテンツを、ＶＧＡ（Video Graphics Array）といった６４０×４８０画素の画面解像度で７インチサイズのメインディスプレイ１３上に表示できる。また、メインディスプレイ１３への映像表示処理と並列して、例えば、カメラ撮影画像、車両状態を示す描画画像等といった映像コンテンツを、ＥＧＡ（Enhanced Graphics Adapter）といった６４０×３５０画
素の画面解像度で４．３インチサイズのサブディスプレイ１４に表示できる。
【００２０】
本実施形態の映像表示処理装置１０は、ＧＤＣ（Graphics Display Controller）１１
、ＡＳＩＣ（Application Specific Integrated Circuit）１２を備える。ＧＤＣ１１お
よびＡＳＩＣ１２は、複数のディスプレイに共通の映像処理経路を構成する。映像処理表示装置１０は、複数のディスプレイに共通の映像処理経路を有することにより、それぞれのディスプレイに応じた画面解像度で、供給された複数の映像コンテンツを並列して映像表示処理することができる。なお、ＧＤＣ１１が第１の処理手段の一例であり、ＡＳＩＣ１２が第２の処理手段の一例である。
【００２１】
ＧＤＣ１１は、２ＤEngineや３ＤEngineといったグラフィック表示プログラムを実行する複数のプロセッサ、各種演算処理を行うＣＰＵ（Central Processing Unit）、メモリ
、各種インターフェース等を有する映像表示処理用のＬＳＩ（Large Scale Integration
）である。各種インターフェースには、入出力インターフェースの他、ＡＤＣ（Analog/digital converter）や、ＣＡＮ（Controller Area Network）、ＬＩＮ（Local Interconnect Network）、イーサネット（登録商標）等の通信インターフェースを含んでもよい。
ＧＤＣ１１のメモリは、ＧＤＣ１１の各プロセッサが各種プログラムやデータをキャッシュしたり作業領域を展開したりする記憶媒体であり、例えば、ＲＡＭ（Random Access Memory）、ＲＯＭ（Read Only Memory）、ＥＰＲＯＭ（Erasable Programmable ROM）等を
含む。ＧＤＣ１１は、例えば、ＲＯＭ等に記憶されている各種プログラムや各種データをＲＡＭ等に実行可能に展開し、各プロセッサ等が各種プログラムを実行することにより、映像コンテンツが表示されるディスプレイに応じた描画処理を行い、映像データの生成といった所定の目的に合致した機能を実現する。
【００２２】
ＡＳＩＣ１２は、入力された映像データに対して線形補正による色補正やガンマ補正といった色調補正等の表示処理を行う映像表示処理用のカスタムＩＣである。ＡＳＩＣ１２は、ＡＮＤ回路、ＯＲ回路、ＮＯＴ回路、カウンタ回路といった論理回路、加算、乗算といった信号処理回路、メモリ、ＰＬＬ（Phase-locked loop）、入出力インターフェース
等を有する。ＡＳＩＣ１２のメモリは、入出力インターフェースを介して入力された映像データや信号処理の際に参照するテーブル等を記憶する記憶媒体であり、例えば、ＲＡＭ（Random Access Memory）、ＲＯＭ（Read Only Memory）、ＥＰＲＯＭ（Erasable Programmable ROM）等を含む。
【００２３】
〔処理概要〕
図２のＧＤＣ１１は、供給された２系統の映像コンテンツに基づいて、メインディスプレイ１３、サブディスプレイ１４に表示出力する映像データを生成する。ここで、メインディスプレイ１３の映像データは、例えば、６４０×４８０画素で構成され、サブディスプレイ１４の映像データは、例えば、６４０×３５０画素で構成されるとする。各画素は量子化されたＲ、Ｇ、Ｂ、の各８ビットの階調情報で表現されるとする。また、以下の説明では描画処理によって生成された映像データを“原画像”と称する。
【００２４】
ＧＤＣ１１は、ディスプレイごとに生成された原画像の画素サイズを圧縮し、縮小画像を生成する。そして、ＧＤＣ１１は、生成されたそれぞれの縮小画像を合成し、合成画像を生成する。ＧＤＣ１１で合成された合成画像は、入出力インターフェースを介してＡＳＩＣ１２に出力される。
【００２５】
図２の例では、ＧＤＣ１１は、例えば、６４０×４８０画素の原画像を横方向（水平方向）に圧縮し、３２０×４８０画素の縮小画像１１ａを生成する。並列してＧＤＣ１１は、例えば、６４０×３５０画素の原画像を横方向に圧縮し、３２０×３５０画素の縮小画像１１ｂを生成する。そして、ＧＤＣ１１は、生成した２つの縮小画像を合成し、例えば、６４０×４８０画素の合成画像１１ｃを生成する。図２では、合成画像１１ｃは、縮小画像１１ａと縮小画像１１ｂが横方向（水平方向）に並列して合成されている。
【００２６】
本実施形態の映像表示処理装置１０は、このような、映像圧縮、映像合成といった処理機能をＧＤＣ１１に実行させることにより、例えば、従来のメインディスプレイ１３に映像データを表示出力する伝送容量や帯域幅等で、メインディスプレイ１３およびサブディスプレイ１４に表示出力される映像データを並列して処理することができる。但し、ＧＤＣ１１で実行される圧縮、合成処理の機能は、図２の処理例に限定されるわけではない。図例では、各原画像を横方向に圧縮し、合成画像１１ｃを生成したが、例えば、各原画像
を縦方向（垂直方向）に圧縮し、圧縮した各縮小画像を縦方向（垂直方向）に上下に並べた合成画像を生成してもよい。例えば、６４０×４８０画素の原画像を縦方向（水平方向）に圧縮した６４０×２４０画素の縮小画像と、６４０×３５０画素の原画像を縦方向に圧縮し、６４０×１７５画素の縮小画像とから、６４０×４８０画素の合成画像を生成するとしてもよい。ここで、原画像の圧縮は任意の方法が選択できる。例えば、可逆圧縮、非可逆圧縮といった圧縮方法が提示できる。
【００２７】
また、図２の処理例では、合成画像をメインディスプレイ１３に表示出力する原画像の画素サイズとしたが、例えば、サブディスプレイ１４に表示出力する原画像の画素サイズとしてもよい。例えば、６４０×４８０画素の原画像を横方向および縦方向に圧縮した３２０×３５０画素の縮小画像と、６４０×３５０画素の原画像を横方向に圧縮し、３２０×３５０画素の縮小画像とから、６４０×３５０画素の合成画像を生成するとしてもよい。映像表示処理装置１０は、従来のサブディスプレイ１４に映像データを表示出力する伝送容量や帯域幅等で、メインディスプレイ１３およびサブディスプレイ１４に表示出力される映像データを並列して処理することができる。合成画像のサイズは、車載システムが要求される表示精度、車載システムの規模、映像データを表示出力する伝送容量や帯域幅等によって適正なものを選択できる。
【００２８】
ＧＤＣ１１から出力された合成画像は、ＡＳＩＣ１２が備える入出力インターフェースを介してＡＳＩＣ１２に入力される。ＡＳＩＣ１２は、後述するように、入力された合成画像を所定のタイミングでメモリに一時的に格納する。そして、ＡＳＩＣ１２は、例えば、各ディスプレイの表示タイミングでメモリに格納された合成画像を読み出し、ディスプレイごとに圧縮された画像の復元処理を行う。ＡＳＩＣ１２で復元処理された復元画像は、供給された映像コンテンツに基づいて生成された原画像の画素サイズで、各ディスプレイに出力される。
【００２９】
図２の例では、ＡＳＩＣ１２は、合成画像１１ｃの画素のサイズを縮小画像１１ａの画素の領域と縮小画像１１ｂの画素の領域とに分割する。合成画像１１ｃは、横方向に３２０×４８０画素の縮小画像１１ａと３２０×３５０画素の縮小画像１１ｂが並列して合成されたものであるから、例えば、ＡＳＩＣ１２は、合成画像の横方向の画素情報に基づいて合成画像の画素範囲を分割することにより、各縮小画像を分割できる。
【００３０】
ＡＳＩＣ１２は、縮小画像ごとに、縮小画像を原画像の画素サイズに復元する復元処理を並列して行う。例えば、ＡＳＩＣ１２は、縮小画像１１ａに対し横方向へ拡大する伸張処理、線形補間といった画素間の補間処理を行うことにより、６４０×４８０画素の画素サイズを有する復元画像１２ａを復元できる。同様に、ＡＳＩＣ１２は、縮小画像１１ｂに対し横方向へ拡大する伸張処理および補間処理を行うことにより、６４０×３５０画素の画素サイズを有する復元画像１２ｂを復元できる。なお、縮小画像の伸張処理および補間処理は任意の方法が選択できる。原画像の圧縮方法や復元する画像の画素サイズ、復元データの伝送容量や帯域幅等に応じて適正なものを選択すればよい。
【００３１】
ＡＳＩＣ１２で復元された各復元画像は、それぞれに応じたディスプレイに並列して表示出力される。例えば、６４０×４８０画素の復元画像１２ａは、ナビゲーションといった映像コンテンツの映像データとしてメインディスプレイ１３に表示出力される。同様に、６４０×３５０画素の復元画像１２ｂは、例えば、車両状態を示す描画画像といった映像コンテンツの映像データとしてサブディスプレイ１４に表示出力される。
【００３２】
本実施形態の映像表示処理装置１０は、このような合成画像の分割、伸張処理や画素間の補間処理といった復元処理をＡＳＩＣ１２に機能させることにより、例えば、メインディスプレイ１３に表示出力される映像データとサブディスプレイ１４に表示出力される映
像データとを同期して連動することが可能となる。なお、ＡＳＩＣ１２で行われる合成画像の分割、伸張処理や画素間の補間処理といった復元処理は、図２の処理例に限定されないことは言うまでもない。例えば、圧縮した各縮小画像が縦方向（垂直方向）に上下に並ぶ合成画像では、合成画像の縦方向の画像情報に基づいて合成画像の画素範囲を分割するとしてもよい。また、例えば、縦方向に圧縮されている縮小画像では、縮小画像に対し縦方向へ伸張する伸張処理等の復元処理を行うとしてもよい。
【００３３】
図３は、運転席正面のインストルメントパネルに設けられた２つのサブディスプレイ１４ａに映像データを表示出力する例である。インストルメントパネルのメータフード１５内には、速度計１６ａ、回転速度計１６ｂを挟むように２つの４．３インチのサブディスプレイ１４ａが設けられている。図３の映像表示処理装置１０には、少なくとも１０．２インチのメインディスプレイ１３ａ、２つの４．３インチのサブディスプレイ１４ａに表示出力可能な映像コンテンツが供給される。
【００３４】
図例の映像表示処理装置１０のＧＤＣ１１は、メインディスプレイ１３ａへの表示出力系統とＡＳＩＣ１２への合成画像を出力する系統を備える。ＧＤＣ１１は、２つのサブディスプレイ１４ａに表示出力される映像データのそれぞれの原画像を圧縮し、縮小画像１１ｄ、１１ｅを生成する。生成された縮小画像１１ｄ、１１ｅは、例えば、横方向に並列されて、４．３インチのサブディスプレイ１４ａの画素サイズを有する合成画像１１ｆとしてＡＳＩＣ１２に出力される。
【００３５】
ＧＤＣ１１から出力された合成画像１１ｆは、ＡＳＩＣ１２によって縮小画像１１ｄ、縮小画像１１ｅに分割され、それぞれに原画像サイズへの伸張処理および補間処理が行われ、ＶＲＡＭ（Video RAM）といったメモリ１７を介し、各サブディスプレイ１４ａの表
示タイミングで各ディスプレイ上に表示出力される。ＡＳＩＣ１２では、分割処理、伸張処理、補間処理といった各サブディスプレイ１４ａへの表示出力処理は、並列して実行されるため、各サブディスプレイ１４ａに表示される映像データは同期して連動させることが可能となる。
【００３６】
図３の映像表示処理装置１０において、例えば、ＧＤＣ１１からメインディスプレイ１３ａに表示出力している映像データを、ＡＳＩＣ１２を経由して供給するとしてもよい。例えば、ＡＳＩＣ１２において、メインディスプレイ１３ａに表示出力する映像データに、所定の処理遅延を与え、メインディスプレイ１３ａに表示出力するとしてもよい。ＡＳＩＣ１２から、メインディスプレイ１３ａに表示出力される映像データは、所定の処理遅延を介することにより、各サブディスプレイ１４ａに表示される映像データと同期を取ることが可能となり、３つのディスプレイ間で表示出力される映像データを連動することが可能となる。
【００３７】
〔処理フロー〕
以下、図４から図６を参照し、本実施形態の映像表示処理について説明する。図４ａは、映像表示処理装置１０による映像データの圧縮、縮小映像の合成・分割、伸張、補間といったディスプレイごとの映像表示処理のフローチャートの例示である。映像表示処理装置１０のＧＤＣ１１は、例えば、メモリに実行可能に展開された各種プログラムにより映像データの描画処理、圧縮、縮小映像の合成等を実行する。なお、図４ａにおいて、Ｓ１−Ｓ２の処理は、ＧＤＣ１１で実行され、Ｓ３−Ｓ４の処理はＡＳＩＣ１２で実行される。
【００３８】
図４ａに例示する映像表示処理のフローチャートにおいて、映像表示処理の“表示開始”は、例えば、車両のイグニッションキーが「ＯＮ」または「ＡＣＣ」位置となり、電力供給が開始された時が提示できる。
【００３９】
映像表示処理装置１０のＧＤＣ１１は、図３に例示するメインディスプレイ１３ａ、サブディスプレイ１４ａに応じて提供された映像コンテンツの圧縮率（縮小率）を決定する（Ｓ１）。例えば、ＧＤＣ１１は、映像コンテンツごとに対応付けられた縮小率を格納したテーブルを備えることができる。該テーブルには、「ＤＶＤ」、「ＴＶ」では「３０％」、「静止画」では「７０％」、「ナビゲーション」では「２０％」、「カメラ」では「４０％」等のように、各ディスプレイが表示可能なコンテンツごとに対応付けられた縮小率を格納することができる。
【００４０】
また、縮小率の決定は、例えば、ＭＰＥＧ（Moving Picture Experts Group）といった既圧縮の動画像の場合では、各圧縮画像の動きベクトルの変化量に応じて縮小率を決定するとしてもよい。また、例えば、供給された映像コンテンツの情報量（画像の複雑さ）に応じて適切な縮小率を決定することができる。一例として、各サブディスプレイ１４ａに表示出力する映像コンテンツの情報量が同じ場合には、縮小率を各５０％とし、合成映像画像をＡＳＩＣ１２に送信できる。しかしながら、一方のサブディスプレイ１４ａに表示出力する映像コンテンツが、例えば、メニュー画像といった複雑でない表示（情報量が少ないコンテンツ）の場合では、他方のディスプレイ１４ａに表示出力する映像コンテンツの縮小率を例えば３０％とし、複雑でない表示の映像コンテンツには縮小率を７０％とするとしてもよい。
【００４１】
ＧＤＣ１１で決定された縮小率は、合成映像画像の画素の範囲と共にＡＳＩＣ１２に通知される。なお、予め所定の縮小率を定めておく場合には、ＡＳＩＣ１２に通知するとしなくともよい。ＧＤＣ１１は、決定した縮小率で映像コンテンツに基づく縮小映像画像を生成し、合成映像画像を生成する。
【００４２】
図４ｂに、Ｓ１の処理の詳細なフローチャートを例示する。図４ｂに例示するフローチャートのＳ１１において、ＧＤＣ１１は、先ず、ディスプレイ１への出力映像Ａの１フレームを生成（取得）する。そして、出力映像Ａを圧縮し、圧縮した出力映像ＡをＧＤＣ１１のメモリの所定領域に格納する（Ｓ１２−１３）。次に、ＧＤＣ１１は、ディスプレイ２への出力映像Ｂの１フレームを生成（取得）する（Ｓ１４）。そして、出力映像Ｂを圧縮し、圧縮した出力映像ＢをＧＤＣ１１のメモリの所定領域に格納する（Ｓ１５−１６）。Ｓ１３およびＳ１６でメモリに格納された出力映像が、合成映像画像としてＡＳＩＣ１２に出力されることとなる。
【００４３】
図３に例示する映像表示処理装置１０では、ＧＤＣ１１は、２つのサブディスプレイ１４ａに表示出力される映像データのそれぞれの原映像画像を圧縮し、縮小映像画像１１ｄ、１１ｅを生成する。そして、縮小映像画像１１ｄ、１１ｅは、例えば、横方向に並列し、合成映像画像１１ｆとしてＡＳＩＣ１２に出力される（Ｓ２）。なお、圧縮率が決定しているのであれば、ＧＤＣ１１は、映像コンテンツに基づく縮小映像画像を直接的に生成するとしてもよい。また、図３の例では、ＧＤＣ１１は、ＡＳＩＣ１２に合成映像画像を出力するタイミングで、メインディスプレイ１３ａへ描画処理した映像データを出力する。
【００４４】
図５ａに、縮小映像画像１１ｇ、１１ｈを縦方向に上下に並べた合成映像画像１１ｊのＡＳＩＣ１２への出力タイミングチャートを例示する。ＧＤＣ１１は、図５ａに例示するように、一定の周期で繰り返される“垂直同期（入力）”信号に同期して合成映像画像１１ｊをＡＳＩＣ１２に出力する。ここで“垂直同期（入力）”信号の周期は、図１に示す従来のディスプレイごとに設けられた映像表示処理回路において、映像データをＧＤＣ９０からＡＳＩＣ９１に出力する周期である。本実施形態の映像表示処理装置１０では、図５ａに例示するように、“垂直同期（入力）”信号に同期して、“映像１（ｎフレーム）
”および“映像２（ｎフレーム）”の映像データが連続してＡＳＩＣ１２に出力される。
【００４５】
図５ａの“映像データ（入力）”では、“垂直同期（入力）”信号に同期して、“映像１（ｎフレーム）”および“映像２（ｎフレーム）”の映像データが連続してＡＳＩＣ１２に入力されている。ＡＳＩＣ１２は、例えば、“垂直同期（入力）”信号に同期して分周されたクロック信号を生成し、該生成したクロック信号をカウンタ回路等でカウントすることにより、“映像１（ｎフレーム）”および“映像２（ｎフレーム）”の映像データを合成映像画像から分離することができる。
【００４６】
図５ｂは、縮小映像画像１１ｄ、１１ｅを横方向に並列した合成映像画像１１ｆの、ＡＳＩＣ１２への出力タイミングチャートの例示である。ＧＤＣ１１は、図５ｂに例示するように、一定の周期で繰り返される“水平同期（入力）”信号に同期して合成映像画像１１ｆをＡＳＩＣ１２に出力する。ここで“水平同期（入力）”信号の周期は、図１に示す従来のディスプレイごとに設けられた映像表示処理回路において、映像データをＧＤＣ９１からＡＳＩＣ９２に出力する周期である。本実施形態の映像表示処理装置１０では、図５ｂに例示するように、“水平同期（入力）”信号に同期して、“映像１（ｎフレーム）”および“映像２（ｎフレーム）”の映像データが連続してＡＳＩＣ１２に出力される。
【００４７】
図５ｂの“映像データ（入力）”では、“水平同期（入力）”信号に同期して、“映像１（ｎフレーム）”および“映像２（ｎフレーム）”の映像データが連続してＡＳＩＣ１２に入力されている。ＡＳＩＣ１２は、例えば、“水平同期（入力）”信号に同期して分周されたクロック信号を生成し、該生成したクロック信号をカウンタ回路等でカウントすることにより、図５ａと同様に、“映像１（ｎフレーム）”および“映像２（ｎフレーム）”の映像データを合成映像画像から分離することができる。
【００４８】
図６は、ＡＳＩＣ１２の概略ブロック図の例示である。図６に例示するＡＳＩＣ１２では、例えば、図５ａに例示するタイミングで出力された合成映像画像１１ｊを入力処理部１２ｃで縮小映像画像ごとに分割し、それぞれをメモリ１２ｄに一時的に記憶する。図６の入力処理部１２ｃは、例えば、図４ａのＳ１でＧＤＣ１１から通知された合成映像画像の画素の範囲と、カウンタ回路で計測したクロック数との比較を行うことにより、合成映像画像１１ｊに含まれる縮小映像画像１１ｇ、１１ｈを分離することができる。なお、図４ａのＳ１でＧＤＣ１１から通知される縮小率、画素の範囲等の情報は、映像データの一部に付加データとして埋め込み、例えば、各映像フレームに先行するブランキングのタイミングに合わせて通知されるとしてもよい。
【００４９】
ＡＳＩＣ１２の入力処理部１２ｃは、分割した縮小映像画像１１ｇ、１１ｈをそれぞれメモリ１２ｄに一時的に格納する。例えば、入力処理部１２ｃは、図５ａに例示する“メモリ１”の“バンク１ライト”のタイミングで、縮小映像画像１１ｇを対応するディスプレイＡ用のメモリ１２ｄに記憶する。そして、例えば、入力処理部１２ｃは、図５ａに例示する“メモリ２”の“バンク１ライト”のタイミングで、縮小映像画像１１ｈを対応するディスプレイＢ用のメモリ１２ｄに連続して記憶する。
【００５０】
図４ａに例示するフローチャートに戻り、Ｓ３の合成映像を分割しメモリに蓄積する処理が、ＡＳＩＣ１２の入力処理部１２ｃおよびメモリ１２ｄによって実行される。そして、メモリ１２ｄに一時的に格納された映像データは、各ディスプレイの表示タイミングで読み出され、伸張処理、補間処理が行われ、並列して各ディスプレイに出力される（Ｓ４）。なお、ＡＳＩＣ１２は、各ディスプレイに出力される映像像データ間で、出力タイミングを同期させるようにしてもよい。
【００５１】
図６に例示のブロック図において、ＡＳＩＣ１２のメモリ１２ｄに蓄積された映像縮小
画像１１ｇは、出力制御部１２ｅによってディスプレイＡの表示タイミングで読み出され、ディスプレイＡに表示出力するための伸張処理、補間処理が行われる。また、同様に、ＡＳＩＣ１２のメモリ１２ｄに蓄積された映像縮小画像１１ｈは、出力制御部１２ｅによってディスプレイＢの表示タイミングで読み出され、ディスプレイＢに表示出力するための伸張処理、補間処理が行われる。ディスプレイＡおよびディスプレイＢへの各処理は、対応する出力制御部１２ｅによって並列して行われる。
【００５２】
図５ａに例示されたタイミングチャートでは、“垂直同期（出力）”信号の周期がディスプレイの表示周期のタイミングである。図例において、“メモリ１”に格納されたデータ（映像縮小画像１１ｇ）は、“バンク３リード”のタイミングで読み出され、逐次、図６に例示の出力制御部１２ｅの伸張処理、補間処理が施される。例えば、映像縮小画像１１ｇは、出力制御部１２ｅによって、縦方向に拡大されると共に線形補間といった拡大処理に伴う画素間の補間処理が行われる。そして、出力制御部１２ｅによって拡大処理、補間処理がなされた映像データは、“映像１（出力）”の“映像１（ｎ−１フレーム）”のタイミングで図５ａのディスプレイＡに表示出力される。
【００５３】
同様に、図５ａにおいて、“メモリ２”に格納されたデータ（映像縮小画像１１ｈ）は、“バンク３リード”のタイミングで読み出され、逐次、図６に例示の出力制御部１２ｅの伸張処理、補間処理が施される。映像縮小画像１１ｈは、出力制御部１２ｅによって、縦方向に拡大されると共に線形補間といった拡大処理に伴う画素間の補間処理が行われる。そして、出力制御部１２ｅによって拡大処理、補間処理がなされた映像データは、“映像２（出力）”の“映像２（ｎ−１フレーム）”のタイミングで図５ａのディスプレイＢに表示出力される。
【００５４】
図５ａのタイミングチャートでは、“映像１（出力）”の“映像１（ｎ−１フレーム）”のタイミングと“映像２（出力）”の“映像２（ｎ−１フレーム）”のタイミングは同期している。そして、これらのタイミングで表示出力されるディスプレイＡとディスプレイＢの映像データは、並列に実行される。
【００５５】
図５ｂに例示されたタイミングチャートでは、“水平同期（出力）”信号の周期がディスプレイの表示周期のタイミングである。図例において、“メモリ１”に格納されたデータ（映像縮小画像１１ｄ）は、“バンク３リード”のタイミングで読み出され、逐次、図６に例示の出力制御部１２ｅの伸張処理、補間処理が施される。例えば、映像縮小画像１１ｄは、出力制御部１２ｅによって、横方向に拡大されると共に線形補間といった拡大処理に伴う画素間の補間処理が行われる。そして、出力制御部１２ｅによって拡大処理、補間処理がなされた映像データは、“映像１（出力）”の“映像１（ｎ−１フレーム）”のタイミングで図５ｂのディスプレイＡに表示出力される。
【００５６】
同様に、図５ｂにおいて、“メモリ２”に格納されたデータ（映像縮小画像１１ｅ）は、“バンク３リード”のタイミングで読み出され、逐次、図６に例示の出力制御部１２ｅの伸張処理、補間処理が施される。映像縮小画像１１ｅは、出力制御部１２ｅによって、横方向に拡大されると共に線形補間といった拡大処理に伴う画素間の補間処理が行われる。そして、出力制御部１２ｅによって拡大処理、補間処理がなされた映像データは、“映像２（出力）”の“映像２（ｎ−１フレーム）”のタイミングで図５ｂのディスプレイＢに表示出力される。
【００５７】
図５ｂのタイミングチャートでは、“映像１（出力）”の“映像１（ｎ−１フレーム）”のタイミングと“映像２（出力）”の“映像２（ｎ−１フレーム）”のタイミングは同期している。そして、これらのタイミングで表示出力されるディスプレイＡとディスプレイＢの映像データは、並列に実行される。
【００５８】
図４ａに例示するフローチャートに戻り、本実施形態の映像表示処理装置１０は、例えば、車両のイグニッションキーが「ＯＦＦ」位置となり、供給した電力が停止する“表示停止”となるまで、Ｓ１−Ｓ４の処理を繰り返し継続して実行する。
【００５９】
以上のように、本実施形態の映像表示処理装置１０は、複数のディスプレイに応じた映像コンテンツを圧縮し、１つの合成映像画像を生成する。映像表示処理装置１０は、生成した合成映像画像を圧縮率、画素の範囲といった情報に基づいて分割し、合成映像画像に合成されたディスプレイごとの圧縮映像画像を取得する。映像表示処理装置１０は、分割した圧縮映像画像ごとにディスプレイに応じた伸張処理、補間処理を行い、復元後の各映像データを並列して対応するディスプレイに表示出力する。このような構成により、映像表示装置１０は、複数のディスプレイに表示出力される映像コンテンツを一つの映像処理経路で処理することができる。映像表示装置１０は、圧縮映像画像ごとにディスプレイに応じた伸張処理、補間処理を行うため、複数の映像コンテンツを並列して同時に処理することができる。映像表示装置１０は、復元後の映像データを同期して出力することができる。その結果、映像表示装置１０は、複数のディスプレイに表示出力される映像コンテンツ間で同期を取ることができ、各ディスプレイに表示出力される映像データは連動することができる。
【００６０】
＜実施例２＞
既に述べた実施例１では、供給された映像コンテンツに応じて描画処理を行った原画像の画素サイズに対して圧縮・伸張を行い、生成された復元画像を各ディスプレイに表示出力した。以下に説明する実施例２では、画素を構成するＲ、Ｇ、Ｂの各色の８ビットで表される階調情報を圧縮する。そして、圧縮した階調情報を拡張し、ビット補間処理等を行うことで原画像を復元し、各ディスプレイに表示出力を行う。
【００６１】
図７に、本実施形態の映像表示処理の説明図を例示する。図７のＧＤＣ２１およびＡＳＩＣ２２は、例えば、図２に例示する映像表示処理装置１０のＧＤＣ１１およびＡＳＩＣ１２と同様の構成を備える。ＧＤＣ２１は、例えば、メモリに実行可能に展開された各種プログラムにより映像データの描画処理、ＲＧＢ各階調情報の圧縮、映像画像の合成等を実行する。ＡＳＩＣ２２は、ＲＧＢ各階調情報が圧縮された映像画像を縮小映像画像ごとに分割し、ビット補間処理等を行い、圧縮されたＲＧＢ階調を８ビットに拡張する。圧縮されたＲＧＢ階調の拡張処理は、並列して同時に処理される。ＡＳＩＣ２２は、ＲＧＢ階調情報が８ビットに復元された映像データを各ディスプレイに同期して出力する。
【００６２】
図７に例示のＧＤＣ２１では、供給された２系統の映像コンテンツに基づいて、例えば、図３に例示の２つのサブディスプレイ１４ａに表示出力する映像データを生成する。ここで、サブディスプレイ１４ａの映像データは、例えば、６４０×３５０画素で構成されるとする。各画素は、量子化されたＲ、Ｇ、Ｂの各８ビットの階調情報を有するとする。なお、以下の説明では描画処理によって生成された映像データを“原画像”と称する。
【００６３】
ＧＤＣ２１は、ディスプレイごとに生成された原画像のＲＧＢ階調情報を圧縮し、縮小映像画像を生成する。例えば、ＧＤＣ２１は、サブディスプレイＡ用にＲＧＢ各８ビットで構成された６４０×３５０画素の原画像を圧縮し、ＲＧＢ各４ビットで構成された６４０×３５０画素の縮小映像画像Ａを生成する。同様に、ＧＤＣ２１は、サブディスプレイＢ用にＲＧＢ各８ビットで構成された６４０×３５０画素の原画像を圧縮し、ＲＧＢ各４ビットで構成された６４０×３５０画素の縮小映像画像Ｂを生成する。ＧＤＣ２１は、生成した縮小映像画像Ａと縮小映像画像Ｂとを画素の領域で重ね合わせ、ＲＧＢ各８ビットの６４０×３５０画素の合成映像画像を生成する。ここで、合成映像画像の各画素は、ＲＧＢ各８ビットの上位４ビットに、縮小映像画像Ａの階調情報を含み、ＲＧＢ各８ビット
の下位４ビットに、縮小映像画像Ｂの階調情報を含んで構成される。
【００６４】
図７に例示するＧＤＣ２１では、縮小映像画像Ａが２１ａで示される“映像１（上位４ｂｉｔ）”に対応し、縮小映像画像Ｂが２１ｂで示される“映像２（下位４ｂｉｔ）”に対応する。縮小映像画像Ａと縮小映像画像Ｂが合成された合成映像画像は、従来のサブディスプレイ１４ａに表示出力するＲＧＢ各８ビットで構成された６４０×３５０画素の映像データでＡＳＩＣ２２に出力される。
【００６５】
実施例２の映像表示処理装置１０は、このように合成後の合成映像画像が、従来の１系統の表示処理経路で出力される映像データと同じ階調情報、画素となるように圧縮、合成することにより、例えば、図３に例示する従来のサブディスプレイ１４ａに映像データを表示出力する伝送容量や帯域幅等で、２つのサブディスプレイ１４ａ（サブディスプレイＡ、サブディスプレイＢ）に表示出力する映像データを並列して処理することができる。なお、図７の説明では、ＧＤＣ２１は、原画像を生成した後、各原画像の量子化されたＲＧＢ階調情報を圧縮するとしたが、描画処理時に圧縮率を反映して縮小映像画像を生成するとしてもよい。合成後の映像画像の画素が、トータルでＲＧＢ各８ビットといった従来の１系統の表示処理経路で出力される映像データと同じ階調情報、画素となるようになればよい。
【００６６】
例えば、ＧＤＣ２１は、原画像のデータ量を判定する閾値を設け、閾値以上であればビット圧縮率を可変するとしてもよい。例えば、ＲＧＢ各８ビットの階調情報のビット圧縮率（圧縮率）が、ＲＧＢに共通であり、映像１はＲＧＢ各６ビット、映像２はＲＧＢ各２ビットの各縮小映像画像を合成したＲＧＢ各８ビット合成映像画像を生成するとしてもよい。
【００６７】
また、映像１、２のビット圧縮率をＲＧＢそれぞれ個別に可変できるとしてもよい。例えば、映像１の縮小映像画像は、Ｒ：上位３ビット、Ｇ：上位５ビット、Ｂ：上位３ビットとし、映像２の縮小映像画像を、Ｒ：下位５ビット、Ｇ：下位３ビット、Ｂ：下位５ビットとするＲＧＢ各８ビット合成映像画像を生成するとしてもよい。また、例えば、Ｒのビット情報をＧ，Ｂの階調を示すビット情報としてもよい。
【００６８】
ＧＤＣ２１は、上述したビット圧縮率（圧縮率）の情報を、合成映像画像と共にＡＳＩＣ２２に通知する。但し、ＧＤＣ２１／ＡＳＩＣ２２間で、予め所定の圧縮率を設定し、設定された圧縮率に基づいて伸張処理を行う場合では、ＡＳＩＣ２２に通知せずともよい。
【００６９】
図８に実施例２の映像表示処理におけるタイミングチャートを例示する。図８において、２１ｅで示されるＲＧＢ各８ビットのブロックが、合成映像画像２１ｄの８ビットの階調情報である。２１ｅで示されるＲＧＢ各８ビットのブロックでは、ＲＧＢ各８ビットの上位４ビットに映像１の圧縮した階調情報が合成されている。同様に、２１ｅでは、ＲＧＢ各８ビットの下位４ビットに映像２の圧縮した階調情報が合成されている。合成映像画像２１ｄでは、映像１と映像２が重なり合っている。
【００７０】
ＧＤＣ２１は、図８に例示するように、一定の周期で繰り返される“垂直同期（入力）”信号に同期して合成映像画像２１ｄをＡＳＩＣ２２に出力する。ここで、合成映像画像２１ｄは、“映像データ（入力）”の“映像１＆映像２（ｎフレーム）”である。
【００７１】
ＡＳＩＣ２２に出力された合成映像画像は、ＲＧＢ各８ビットごとに、上位４ビットと下位４ビットに分割され、それぞれに、４ビットに圧縮された階調情報の拡張およびビット補間処理が施される。図８のタイムチャートでは、“内部処理（映像１のビット拡張）
”で示される“映像１（ｎフレーム）の４bit⇒８bit拡張処理”が、ＡＳＩＣ２２で実行される上位４ビットの拡張およびビット補間処理である。同様に、“内部処理（映像２のビット拡張）”で示される“映像２（ｎフレーム）の４bit⇒８bit拡張処理”が、ＡＳＩＣ２２で実行される下位４ビットの拡張およびビット補間処理である。各映像の拡張処理は、同時のタイミングで並列して実行される。
【００７２】
ＡＳＩＣ２２で実行される各映像の拡張およびビット補間処理は、例えば、図７の入力されたビット数に応じて８ビット出力に直線的に変換する線形補間が提示できる。また、ＧＤＣ２１から各映像のビット圧縮率の情報が通知される場合には、通知されたビット圧縮率に応じて拡張処理を行えばよい。このような、ＧＤＣ２１からのビット圧縮率の通知は、映像データの一部に付加データとして埋め込み、例えば、映像フレームに先行するブランキングのタイミングに合わせて通知されるとしてもよい。
【００７３】
ＡＳＩＣ２２は、各映像の拡張およびビット補間処理において、例えば、ＲＧＢそれぞれに、入力されたビット数に対応付けられた８ビット出力に変換する変換テーブルをメモリに持つとしてもよい。ＡＳＩＣ２２は、拡張処理後の映像データを、表示出力するディスプレイのＲＧＢ特性に応じて調整し出力することができる。さらに、変換テーブルは、入力された特定のビット数に重み付けを行い８ビット出力に変換する、例えば、Ｓ字カーブといった可変テーブルであってもよい。拡張処理後の映像データのＲＧＢの各色調をディスプレイの特性に応じて調整することができる。
【００７４】
実施例２のＡＳＩＣ２２は、上述した拡張およびビット補間処理を行い、例えば、ＲＧＢ各８ビットの階調情報を有する、６４０×３５０画素の映像データを各ディスプレイに表示出力する。図７の例では、２２ａで示される“映像１（８bit）”データは、図３に
例示のサブディスプレイＡに出力される。また、２２ｂで示される“映像２（８bit）”
データは、図３に例示のサブディスプレイＢに出力される。
【００７５】
図８のタイミングチャートにおいて、“垂直同期（出力）”信号の周期がディスプレイの表示周期のタイミングである。“映像１（出力）”が、８ビットに拡張された“映像１（８bit）”の表示出力されるデータ列を示し、“映像２（出力）”が、８ビットに拡張
された“映像２（８bit）”の表示出力されるデータ列を示している。図８のタイミング
チャートにおいて、“映像１（出力）”の“映像１（ｎ−１フレーム）”で示される時系列データと、“映像２（出力）”の“映像２（ｎ−１フレーム）”で示される時系列データは、“垂直同期（出力）”信号に同期して、同時のタイミングで並列して出力される。
【００７６】
以上、説明したように、映像表示処理装置１０は、ディスプレイごとに生成された原画像のＲＧＢ階調情報を圧縮するとしてもよい。そして、圧縮した階調情報を拡張し、ビット補間処理等を行い、復元された映像データを各ディスプレイに表示出力することにより、実施例１と同様の効果を奏することができる。
【００７７】
〔車載機〕
図９に、映像表示処理装置１０を備えたＡＶＮ機１を例示する。図９のＡＶＮ機は、車両に搭載可能な情報処理システムを構成する。なお、このような情報処理システムは、例えば、複数のディスプレイを有する携帯電話、スマートフォン、ＰＤＡ（Personal Digital Assistant）等の情報携帯端末であってもよい。また、複数のディスプレイを有するノートＰＣ（Personal Computer）、タブレットＰＣといった情報処理装置であってもよい
。
【００７８】
制御部１０１は、ＡＶＮ機１の各部或いは接続された外部機器からの信号、また使用者の操作に基づく各操作部からの操作指示信号等の入力を受け、それら信号に基づきＡＶＮ
機１の各部、或いは外部機器を統括的に制御する制御部で、例えばマイクロコンピュータ（マイコン）により構成され、ＲＯＭ等のメモリに記憶されたプログラムに従い動作する。
【００７９】
放送受信部１０２は、アンテナにより受信された放送波から、特定の周波数の放送波を選択受信し、復調して当該放送の音声信号および画像信号を出力する受信部であり、同調回路、復調・復号回路、フレーム管理回路等により構成される。放送受信部１０２は制御部１０１からの制御信号により、そのオン／オフ、受信周波数の選択（選局）等の各種動作が制御される。
【００８０】
ディスク再生部１０３は、ＣＤ（Compact Disc）、ＭＤ（Mini Disc）、ＤＶＤ（Digital Versatile Disc）、及びブルーレイディスク（Blu-ray Disc）などのディスクに記録
されているデータをピックアップにより読込み、読み込んだデータに基づく、音声信号、映像信号を分配回路１０８に出力する。ディスク再生部１０３は、光学ピックアップ、ピックアップディスク駆動機構、ピックアップディスク駆動機構の制御回路、読取信号の復号回路等を備え、制御部１０１からの制御信号により、オン／オフ、読み込み位置等の各種動作が制御される。
【００８１】
ＨＤ（ハードディスク）再生部１０４は、磁気記録媒体であるハードディスクに記録された各種データから所望のデータを読み出し、読み出した画像信号、音声信号又は文字信号等を分配回路１０８に出力する。ハードディスクには、ＭＰ３ファイル等の音楽データやＪＰＥＧファイル等の画像データ、ナビゲーション用の地図データ等が記録される。ＨＤ再生部１０４は、読取信号の復号回路等を備え、制御部１０１からの制御信号によりオン／オフ、読み出すデータ等の各種動作が制御される。
【００８２】
ナビゲーション部１０５は、ディスプレイ１１３に表示された地図上に自車位置や目的地までの経路を表示したり、交差点等で音声等により右左折等の進行方向案内を行ったり、ＶＩＣＳ情報受信部１０６から交通情報を受信して表示したり、ＧＰＳ情報受信部１０７から自車位置情報を受信して表示したりして、目的地までの経路案内を行う。ナビゲーション部１０５は、ナビゲーションの為に利用される地図情報を記録するハードディスク、各種演算処理を行うＣＰＵ（Central Processing unit）、各種処理のためにデータを
記憶するＲＡＭ（Random Access Memory）等のメモリ１１５を備える。ナビゲーション部１０５は、制御部１０１からの制御信号により、オン／オフ、各種動作が制御される。
【００８３】
ＶＩＣＳ情報受信部１０６は、交通情報通信システム（ＶＩＣＳ（登録商標）：Vehicle Information and Communication System）に係る交通情報を受信し、受信した交通情報を出力する。ＶＩＣＳ情報受信部１０６は、交通情報通信システムからのデータを受信する受信機（ＦＭ受信機、電波ビーコン受信機、光ビーコン受信機）、受信したデータを復号する復号回路等を備える。ＧＰＳ情報受信部１０７は、ＧＰＳ（登録商標）衛星からのＧＰＳ信号に基づき自車位置を検出し、検出した現在位置情報を出力する。ＧＰＳ情報受信部１０７は、ＧＰＳ信号を受信する受信回路、受信したＧＰＳ信号に基づき自車位置を算出する演算回路等を備える。
【００８４】
カメラ１１９は、車両の周囲を撮影し、動画データ（映像情報及び音声情報）を外部音声／映像入力部１１８を介して入力するカメラである。カメラ１１９で撮影した映像情報は映像処理が施され、分配回路１０８、画像調整回路１０９、映像表示処理部１０を介して複数のディスプレイ１１３に表示され、駐車アシスト等に利用される。また、カメラ１１９で撮影した動画データは、ドライブレコーダ等のために分配回路１０８を介してＨＤ再生部１０４内のＨＤドライブ或いはメモリ１１５に記録されても良い。
【００８５】
外部音声／映像入力部１１８は、カメラ１１９の動画データをディスプレイ１１３に表示させるための映像信号に変換する等の処理を行う。外部音声／映像入力部１１８は、制御部１０１からの制御信号により、オン／オフ、各種動作が制御される。
【００８６】
分配回路１０８は、制御部１０１の制御信号により、出力することが指定された各種ソース（放送受信部１０２、ディスク再生部１０３、ＨＤ再生部１０４、及びナビゲーション部１０５、外部音声／映像入力部１１８、図示しない外部記録媒体再生部等）の音声信号と画像信号とを画像調整回路１０９及び音声調整回路１１０に出力する。分配回路１０８は、リレーまたはスイッチングトランジスタ等の電子回路で構成されたスイッチ群を備える。
【００８７】
音声調整回路１１０は、制御部１０１の制御信号により、入力された音声信号に対し、音量、音声を調整し、調整した音声信号を出力する。音声調整回路１１０は、音声データを記憶するメモリ、音声データを演算処理するデジタルシグナルプロセッサ等の演算回路、トランジスタ、抵抗、コイル等により構成される増幅又は減衰回路や共振回路等を備える。スピーカ１１１は、音声調整回路１１０から出力された音声信号を音声として出力する。
【００８８】
画像調整回路１０９は、制御部１０１の制御信号により、入力された画像信号に対し、輝度や色調、コントラストなどを調整し、調整した各画像信号を出力する。画像調整回路１０９は、画像データを記憶するメモリ、画像データを演算処理するデジタルシグナリングプロセッサ等の演算回路等を備える。本実施形態においては、画像調整回路１０９は、映像表示処理装置１０を構成するＧＤＣ１１として機能する。
【００８９】
画像出力部１１２は、画像調整回路１０９から入力された画像信号と、制御部１０１からディスプレイ１１３に表示させる表示画像信号とを入力して画像合成等の処理を施し、当該処理を施した画像信号に基づきディスプレイ１１３を駆動する。本実施形態においては、画像出力部１１２は、映像表示処理装置１０を構成するＡＳＩＣ１２として機能する。ＡＳＩＣ１２は、複数のディスプレイ（１１３＃１、１１３＃２）に応じた映像データを該ディスプレイに表示出力する。
【００９０】
ディスプレイ１１３は、画像出力部１１２（本実施形態ではＡＳＩＣ１２）から入力された画像信号に基づき画像を表示する。ディスプレイ１１３は、例えば、液晶ディスプレイ、有機ＥＬディスプレイ、プラズマディスプレイ、冷陰極フラットパネルディスプレイ等である。ディスプレイ１１３は、バックライト、液晶パネル、タッチパネル等を備える。
【００９１】
操作部１１４は、ＡＶＮ機１に対して使用者が各種操作を行うための入力部であり、例えばタッチパネル、押釦スイッチ、回転操作スイッチ、ジョイスティック等である。操作部１１４は、ＡＶＮ機１に対する使用者による各種操作の操作状態を制御部１０１に出力する。遠隔操作部１１６は、例えば、赤外線素子等を備えたリモコンである。遠隔操作部１１６は、操作部１１４と同様の機能を有する。
【００９２】
ＥＴＣ車載器１２０は、ＥＴＣ（登録商標：Electronic Toll Collection）システムにおいて、ＥＴＣレーン側の端末と通信して料金を自動で支払う機能を備えた車載器である。通信ユニット１２１は、アンテナに接続された、例えば、ＤＳＲＣ（Dedicated Short Range Communication）、赤外線通信、ブルートゥース（登録商標）等の無線通信のため
の通信インターフェースである。
【００９３】
《コンピュータが読み取り可能な記録媒体》
コンピュータその他の機械、装置（以下、コンピュータ等）に上記いずれかの機能を実現させるプログラムをコンピュータ等が読み取り可能な記録媒体に記録することができる。そして、コンピュータ等に、この記録媒体のプログラムを読み込ませて実行させることにより、その機能を提供させることができる。
ここで、コンピュータ等が読み取り可能な記録媒体とは、データやプログラム等の情報を電気的、磁気的、光学的、機械的、または化学的作用によって蓄積し、コンピュータ等から読み取ることができる記録媒体をいう。このような記録媒体のうちコンピュータ等から取り外し可能なものとしては、例えばフレキシブルディスク、光磁気ディスク、ＣＤ−ＲＯＭ、ＣＤ−Ｒ／Ｗ、ＤＶＤ、ブルーレイディスク、ＤＡＴ、８ｍｍテープ、フラッシュメモリなどのメモリカード等がある。また、コンピュータ等に固定された記録媒体としてハードディスクやＲＯＭ（リードオンリーメモリ）等がある。
【符号の説明】
【００９４】
１    ＡＶＮ機
１０  映像表示処理装置
１１、２１、９１  ＧＤＣ
１２、２２、９２  ＡＳＩＣ
１２ｃ  入力処理部
１２ｄ  メモリ
１２ｅ  出力制御部
１３、１３ａ、９３  メインディスプレイ
１４、１４ａ、９４  サブディスプレイ
１５  メータフード
１６ａ  速度計
１６ｂ  回転速度計
１７  メモリ
１０１  制御部
１０２  放送受信部
１０３  ディスク再生部
１０４  ＨＤ再生部
１０５  ナビゲーション部
１０６  ＶＩＣＳ情報受信部
１０７  ＧＰＳ情報受信部
１０８  分配回路
１０９  画像調整回路（ＧＤＣ）
１１０  音声調整回路
１１１  スピーカ
１１２  画像出力部（ＡＳＩＣ）
１１３  ディスプレイ
１１４  操作部
１１５  メモリ
１１６  遠隔操作部
１１８  外部音声／映像入力部
１１９  カメラ
１２０  ＥＴＣ車載器
１２１  通信ユニット
【図１】
2013205738.tif 000003
【図２】
2013205738.tif 000004
【図３】
2013205738.tif 000005
【図４ａ】
2013205738.tif 000006
【図４ｂ】
2013205738.tif 000007
【図５ａ】
2013205738.tif 000008
【図５ｂ】
2013205738.tif 000009
【図６】
2013205738.tif 000010
【図７】
2013205738.tif 000011
【図８】
2013205738.tif 000012
【図９】
2013205738.tif 000013